(57)【要約】【課題】賞状や図画作品等、子供の記念になる書類、とくに大判の書類を平の状態乃至平に近い状態で収納保管することができ、かつスペースの嵩張りを防止する開閉型賞状ファイルを供する。【解決手段】開閉自在の表表紙２及び裏表紙３並びに両者の間に連設される背表紙４からなる本体１と、該本体１の外側に設けられる本体カバー８とからなる。背表紙４は隣接する両端部に形成されるアール折部５、６を介して表表紙２及び裏表紙３に連設され、該アール折部５、６には表表紙２及び裏表紙３と背表紙４の境界に沿って多数本の筋目７が設けられる。各筋目７の筋目角は１５０°以上になっているから円曲線効果があり、収納される賞状等に折目痕が生じにくい。【選択図】図３
2010201831.tif 000002
【特許請求の範囲】
【請求項１】
開閉自在の表表紙及び裏表紙並びに両者の間に連設される背表紙からなる本体と、該本体の外側に設けられる本体カバーとからなる賞状ファイルであって、上記背表紙は隣接する両端部に形成されるアール折部を介して上記表表紙及び上記裏表紙に連設され、該アール折部には上記表表紙及び上記裏表紙と上記背表紙の境界に沿って多数本の筋目が設けられることを特徴とする開閉型賞状ファイル。
【請求項２】
上記アール折部の筋目の筋目角が１５０°以上であることを特徴とする請求項１記載の開閉型賞状ファイル。
【請求項３】
上記筋目間の間隔が約５ｍｍ以下であることを特徴とする請求項１又は請求項２記載の開閉型賞状ファイル。
【請求項４】
上記アール折部の形成において、まず中央の筋目に隣接する筋目を形成後、中央の筋目を含む他の筋目を形成することを特徴とする請求項１乃至請求項３いずれか一記載の開閉型賞状ファイル。
【請求項５】
上記各筋目はプレス加工により形成することを特徴とする請求項１又は請求項４いずれか一記載の開閉型賞状ファイル。
【請求項６】
上記背表紙の幅員が約２０ｍｍである請求項１記載の開閉型賞状ファイル。
【請求項７】
上記アール折部が上記背表紙の幅員と同等の幅員に形成されることを特徴とする請求項１記載の開閉型賞状ファイル。
【発明の詳細な説明】
【技術分野】
【０００１】
本願発明は、賞状や図画作品等、子供の記念になる書類、とくに大判の書類を収納保管する開閉型賞状ファイルに関する。
【背景技術】
【０００２】
賞状や図画作品等、子供の記念になる書類は子供にとっても親にとっても重要であるため、終生、収納保管することが多い。
【０００３】
しかしながら、賞状のように面積の大なる大判の書類は平の状態で収納保管するのが困難である。
【０００４】
このため、従来は丸めて円形の筒中に収納保管するなどしていた。
【０００５】
しかし、このような収納保管方法であると、筒体の直径分保管スペースを要するため嵩張るという欠点があった。
【０００６】
また嵩張りを解消するため筒体の直径を過度に小にすると、細く丸めたときに大切な賞状等に折くせがついたり、丸めくせがつくことがあり、平の状態に復元することが困難であった。
【０００７】
この場合、折くせや丸めくせによる撓み負担は円形の全周にかかる欠点があった。
【０００８】
そこで、開閉型のファイルが考えられるが、ファイルを閉状態としたときヒンジ部分が約９０°になり完全に折くせがつき折目痕が生じる欠点がある。
【先行技術文献】
【特許文献】
【０００９】
【特許文献１】特開２００３−２７６３７４号公報
【発明の概要】
【発明が解決しようとする課題】
【００１０】
本願発明は上記背景に鑑み、賞状や図画作品等、子供の記念になる書類、とくに大判の書類を平の状態乃至平に近い状態で収納保管することができ、かつスペースの嵩張りを防止する開閉型賞状ファイルを供することを目的とする。
【課題を解決するための手段】
【００１１】
上記目的達成のため、本願発明による開閉型賞状ファイルは、開閉自在の表表紙及び裏表紙並びに両者の間に連設される背表紙からなる本体と、該本体の外側に設けられる本体カバーとからなる賞状ファイルであって、上記背表紙は隣接する両端部に形成されるアール折部を介して上記表表紙及び上記裏表紙に連設され、該アール折部には上記表表紙及び上記裏表紙と上記背表紙の境界に沿って多数本の筋目が設けられることを特徴とする。
上記アール折部の筋目の筋目角が１５０°以上であることを特徴とする。
上記筋目間の間隔が約５ｍｍ以下であることを特徴とする。
上記アール折部の形成において、まず中央の筋目に隣接する筋目を形成後、中央の筋目を含む他の筋目を形成することを特徴とする。
上記各筋目はプレス加工により形成することを特徴とする。
上記背表紙の幅員が約２０ｍｍであることを特徴とする。
上記アール折部が上記背表紙の幅員と同等の幅員に形成されることを特徴とする。
【発明の効果】
【００１２】
本願発明においては、背表紙に隣接する表表紙と裏表紙を背表紙の両端部に形成されるアール折部を介して一体に連設してあるところ、該アール折部には上記表表紙及び上記裏表紙と上記背表紙の境界に沿って多数本の筋目が均等間隔に設けられているから、正ｎ角形の内角を求める公式「１８０°×（ｎ−２）／ｎ」から、筋目角αが円曲線に準じたラインとなり、賞状に折目痕が生ずるのを防止する。
【図面の簡単な説明】
【００１３】
【図１】（Ａ）は本願発明による開閉型賞状ファイルの実施の形態を示し、その開状態の正面図、（Ｂ）は（Ａ）の背面図、（Ｃ）は（Ａ）の左側面図、（Ｄ）は（Ａ）の平面図である。
【図２】図１の開閉型賞状ファイルが閉状態になろうとするときの図である。
【図３】図１の開閉型賞状ファイルの閉状態における一部拡大平面図である。
【図４】標準仕様の賞状用丸筒を示す平面断面図である。
【図５】筋目の作用効果を説明する図である。
【図６】円曲線効果の作用効果を説明する図である。
【図７】（Ａ）は円曲線効果を確認するための実験条件を説明する図、（Ｂ）は（Ａ）の実験条件により押し当て実験を説明する図である。
【図８】（Ａ）は本願発明による開閉型賞状ファイルの他の実施の形態の作用効果の説明図、（Ｂ）は本願発明による開閉型賞状ファイルのさらに他の実施の形態の作用効果の説明図である。
【発明を実施するための形態】
【００１４】
次に、実施の形態を示す図面に基づき本願発明による開閉型賞状ファイルをさらに詳しく説明する。なお、便宜上同一の機能を奏する部分には同一の符号を付してその説明を省略する。
【００１５】
本体１は開閉自在の表表紙２及び裏表紙３と、両者の間に連設される背表紙４とからなる。該背表紙４は両端部に、アール折部５、６が形成され、該アール折部５、６には上記表表紙２及び上記裏表紙３の境界に沿って５本の筋目７ａ〜７ｅが設けられる（以下、総称するときは「筋目７」という）。各筋目７ａ〜７ｅ間の間隔Ｒは５ｍｍとされる。上記本体１の外側には本体カバー８が設けられる。９は蓋１０の付いたポケット、１１はリフィル式の上部１１ａが開放したポケットで、これは綴じ具１２により複数枚綴じられている。
【００１６】
各部の寸法は、表表紙２及び裏表紙３がＡ３用紙を平の状態で収納保管できる程度の大きさ、例えば縦４６０ｍｍ×横３５７ｍｍに形成される。上記背表紙４の幅員Ｗ1はファイル形状の安定性を確保するため一般に採用される２０ｍｍとしてある。上記背表紙４の両端部に形成されるアール折部５、６の幅員Ｗ2は背表紙４と同幅の２０ｍｍとし、ここに５ｍｍ間隔で上記筋目７ａ〜７ｅが設けられる。よって開状態における本体１の寸法は縦４６０ｍｍ×横７７４ｍｍに形成される。
【００１７】
生地厚は上記本体１が各部いずれも０．８５ｍｍ、上記本体カバー８が０．１５ｍｍ、上記ポケット１１が０．０８ｍｍ、上記ポケット９が０．１８ｍｍである。
【００１８】
材質は上記本体１及び上記各ポケット９、１１いずれもポリプロピレン（ＰＰ）からなり、綴じ具１２はスチール製である。
【００１９】
<製造方法>
【００２０】
本願発明による開閉型賞状ファイルは次のようにして製造される。まず、背表紙４を含む上記本体１と、上記アール折部５、６の第２筋目７ｂ及び第４筋目７ｄの合計４本の筋目を１回のプレス加工により「抜き」と「型押し」を同時に行う。次いで、上記アール折部５、６の第１筋目７ａ、第３筋目７ｃ及び第５筋目７ｅの合計６本の筋目を１回のプレス加工により「型押し」する。
【００２１】
このように上記アール折部５、６の隣接する筋目を交互にプレス加工するのは、５ｍｍ間隔という狭小な幅で同時にプレス加工すると、生地が一気に局所に寄せられ、これにより生地の逃げがなくなると、生地に「破れ」や「波打ち」などの不具合が生ずることがあり、これを防止するためである。
【００２２】
図２は上記本体１とその外側に設けられた上記本体カバー８との間に、大判例えばＡ２用紙、四つ切サイズの賞状１３を挿入し、閉状態に折り曲げて収納保管しようとする場合を示す。かかる状態で表表紙２と裏表紙３とが折り曲げられたときの上記アール折部５、６の筋目７ａ〜７ｅの作用効果を図３に基づき説明する。
【００２３】
図３において上記アール折部５、６の各筋目７ａ〜７ｅは筋目角αが折目痕が生じにくい角度である１５７．５°に設定されている。本実施の形態において筋目７がこのような角度となるのは以下の理由からである。
【００２４】
まず、従来の丸筒からなる保管筒について考える。図４は標準仕様Ｍ（内径Ｏ＝４７ｍｍ、外径Ｐ＝５０ｍｍ）の保管筒を示す。このような標準仕様の丸筒からなる保管筒の場合、経験上、賞状１３に折り目や折り癖から生ずる折目痕が形成されないので、本願発明のような開閉型賞状ファイルにおいても上記標準仕様と同等以上の丸み（アール）を確保すればよいことになる。
【００２５】
ところで、本願発明のようなファイルにおいては管理上背表紙にタイトルを表示する必要がある。この場合、背表紙の幅員Ｗ1はファイル形成の安定性を確保する等の理由から、少なくとも２０ｍｍ程度のサイズを要する。よって図４の標準仕様の丸筒を背表紙に相当する幅員２０ｍｍの辺を基準とした多角形の筒に構成すると、図５に示すような正八角形の筒となる。このとき、辺ａに隣接する両側の辺ｂ、ｃとの間の挟角からなる筋目角α1は正ｎ角形の内角を求める公式「１８０°×（ｎ−２）／ｎ」（ただし、ｎ＝辺の数）からα1＝１３５度となり、
α1＝１８０°×（８−２）／８＝１３５°
この筋目角α1＝１３５°では折目痕の問題が経験上完全には解消されない。
【００２６】
そこで、図６に示すように、辺ａ、ｂ間又は辺ａ、ｃ間に複数の筋目を設けるとともに、筋目間の間隔を同一にして全周に筋目をつけてみた。すると筋目間の辺は全部で１６個となるので、各筋目の筋目角α2を計算すると、上記公式からα2＝１５７．５°となり、円曲線に準じたラインとなる。このとき、図６の筒体の周上の筋目は１／４周ごとに筋目ｒ1、ｒ2、ｒ3、ｒ4、ｒ5及び筋目ｒ13、ｒ14、ｒ15、ｒ16、ｒ1と各５個の筋目となる。
α2＝１８０°×（１６−２）／１６＝１５７．５°
【００２７】
この筋目角α2＝１５７．５°を有する筒体で試してみると、賞状に折目痕が生じず円曲線効果があった。
【００２８】
ここで、円曲線効果について詳述する。筋目角αが何度以上になると円曲線効果を奏するのか実験してみた。画用紙の標準規格は厚さ０．１８ｍｍ〜０．２ｍｍであるのでこれを供試片Ａとした。図７（Ａ）に示すような０．２ｍｍのポリプロピレン（ＰＰ）の板２０に折部２１を設ける。図７（Ｂ）に示すように、ポリプロピレン板２０の上に供試片Ａの画用紙を重ね、その上にさらに本体カバー８に見立てた厚さ０．１５ｍｍのポリプロピレンシート２２を重ねて押し当て、ファイル収納保管時に近い条件で実験した。筋目角αとなる内径の角度αは１３０°、１４０°、１５０°に設定した。
【００２９】
折部２１に沿って手でなぞるように圧力を加え、上記したポリプロピレン板２０、供試片Ａ及びポリプロピレンシート２２の３点を密着させて、供試片Ａに生ずる折目痕を観察した。結果は次の通りである。
筋目角α＝１３０°のとき、折目痕が確認できるので「不良」である。
筋目角α＝１４０°のとき、僅かに折目痕が確認できるので、長時間にわたる年月押し当てると折目痕に成長するおそれがあり、「やや不良」である。
筋目角α＝１５０°のとき、折目痕が確認できないので「良」である。
【００３０】
上記実験より、筋目角α＝１５０°以上であれば、円曲線効果があると考えられる。
【００３１】
本件発明は上記知見に基づきなされたものである。図３に示す実施例では、背表紙４とその両側の表表紙２及び裏表紙３の間に５個の筋目７ａ〜７ｅを筋目角１５０°以上の１５７．５°に設けたアール折部５、６を介することにより、偶部が円曲線に準じたラインとなる。このため賞状１３等の収納物は大きなアールとなってわん曲状態におかれるから、ファイルを開状態から閉状態においたとき賞状１３に折目痕が生ずるのを防止する。
【００３２】
また閉状態において収納される賞状にかかる撓み負担は、従来の丸められた賞状について円全周にかかる撓み負担から、アール折部５、６に沿った２箇所に軽減される。
【００３３】
またファイルの開閉時に上記アール折部５、６には負荷がかかるが、筋目７ａ〜７ｅの存在によりアール折部５、６が補強され、かつ開閉自在時に生じる上記アール折部５、６のヒンジ負担が多数個の筋目７に分散されるため、接合部たるアール折部５、６の耐久性が向上する。
【００３４】
次に表表紙２及び裏表紙３は各々縦４６０ｍｍ×横３７７ｍｍに形成されているから、ファイルの閉状態において、Ａ３用紙程度の賞状、書類を平の状態のままの収納保管することができる。
【００３５】
本願発明は上記した実施の形態に制限されることはない。例えば、アール折部を形成する筋目は４本又は６本であっても上記実施の形態と同等の効果を有する。ただし、筋目７は６本を超えて多くすると、限られた幅員の中でのプレス加工のため、隣接する筋目同士が付着してしまうおそれがある。また筋目７を４本より小とすると、円曲線効果が減少するおそれがある。
【００３６】
また筋目７間の間隔は、プレス加工上４ｍｍ、３ｍｍといった寸法まで考えられる。筋目間が４ｍｍの場合は、図８（Ａ）に示すように正２０角形となり、筋目角αは１６２°となるので、円曲線効果を奏することができる。
α＝１８０°×（２０−２）／２０＝１６２°
また筋目間が３ｍｍの場合は、図８（Ｂ）に示すように正２８角形となり、筋目角αは１６７°となるので、円曲線効果を奏することができる。
α＝１８０°×（２８−２）／２８＝１６７°
しかしながら、本願発明が大判の賞状を収納保管する大型形状のファイルであることより、ファイル開閉時のヒンジ負担を考慮すると５ｍｍ幅とするのが望ましい。
【００３７】
また表表紙２、裏表紙３、背表紙４及び上記本体１の各寸法は一例として理解すべきである。また各部の生地厚、素材についても適宜に設計することができる。
【００３８】
また各ポケット９、１１の設置は任意的である。
【産業上の利用可能性】
【００３９】
本願発明は文房具用品として広く活用することができる。
【符号の説明】
【００４０】
１    本体
２    表表紙
３    裏表紙
４    背表紙
５    アール折部
６    アール折部
７    筋目
７ａ  第１筋目
７ｂ  第２筋目
７ｃ  第３筋目
７ｄ  第４筋目
７ｅ  第５筋目
８    本体カバー
９    蓋付きポケット
１０  上蓋
１１  ポケット
１２  綴じ具
１３  賞状
２０  ポリプロピレン板
２１  折部
２２  ポリプロピレンシート
Ａ    供試片
【図１】
2010201831.tif 000003
【図２】
2010201831.tif 000004
【図３】
2010201831.tif 000005
【図４】
2010201831.tif 000006
【図５】
2010201831.tif 000007
【図６】
2010201831.tif 000008
【図７】
2010201831.tif 000009
【図８】
2010201831.tif 000010